(57)【要約】【課題】筐体内の風量が低下した場合に、筐体内のオゾン濃度の上昇を抑制できる電気集塵装置を提供する。【解決手段】筐体１内の風量を検知するための検知装置１０を備え、検知装置１０は、回転軸５と、通風抵抗部６と、回転部７と、センサー９とからなり、回転軸５は筐体１内において集塵部３よりも下流側に設けられ、通風抵抗部６は、回転軸５に固定され、風が無い場合は自重で下がり、風がある場合は風圧により回動し、回転部７は、通風抵抗部６よりも筐体１の内壁側において、回転軸５に固定され、センサー９は、回転部７とセンサー９との距離を検知し、距離に応じて帯電部２と集塵部３の通電のオンとオフが切り替わる電気集塵装置。【選択図】図１
2017056419.tif 000002
【特許請求の範囲】
【請求項１】
筐体と、
前記筐体内に設けられた帯電部および集塵部とを備え、
前記筐体の吸込口から吸込まれた空気は前記筐体内を通過して前記筐体の吹出口から吹き出される電気集塵装置であって、
前記筐体内の風量を検知するための検知装置を備え、
前記検知装置は、回転軸と、通風抵抗部と、回転部と、センサーとからなり、
前記回転軸は前記筐体内において前記集塵部よりも下流側に設けられ、
前記通風抵抗部は、前記回転軸に固定され、風が無い場合は自重で下がり、風がある場合は風圧により回動し、
前記回転部は、前記通風抵抗部よりも前記筐体の内壁側において、前記回転軸に固定され、
前記センサーは、前記回転部と前記センサーとの距離を検知し、
前記距離に応じて前記帯電部と前記集塵部の通電のオンとオフが切り替わる電気集塵装置。
【請求項２】
前記回転部に磁石を設け、
前記センサーは、前記磁石による磁力を検知することにより、前記距離を検知する請求項１に記載の電気集塵装置。
【請求項３】
前記回転軸は、前記筐体内高さの中点において水平に設けられ、
前記磁石を２つ、前記回転軸を中心に点対称となるように前記回転部に設け、
前記通風抵抗部は前記回転軸を軸として３６０度回動可能である請求項１または２に記載の電気集塵装置。
【請求項４】
前記回転部は、前記回転軸の軸方向に直交する棒状である請求項３に記載の電気集塵装置。
【請求項５】
前記センサーは、前記筐体内において風が無い場合に、前記通風抵抗部が自重で下がった位置において、前記磁石と最接近する位置に設けられた請求項２から４の何れか１項に記載の電気集塵装置。
【請求項６】
前記回転軸および前記回転部は導電性材料からなり、
前記回転軸および前記回転部に対して、前記帯電部あるいは前記集塵部に印加する電圧の一部を印加し、
前記センサーは前記回転部から発生する電場を検知する請求項１に記載の電気集塵装置。
【請求項７】
前記回転部は、前記回転軸の軸方向に直交する棒状であり、
前記センサーは、前記筐体内において風が無い場合に、前記通風抵抗部が自重で下がった位置において、前記回転部と最接近する位置に設けられた請求項６に記載の電気集塵装置。
【発明の詳細な説明】
【技術分野】
【０００１】
本発明は、電機集塵装置に関するものである。
【背景技術】
【０００２】
従来、帯電部に対し複数のトゲ電極を有する金属製の放電板と活性炭繊維の接地極板とを交互に配置した平行平板構造を有する電気集塵装置が知られている（例えば、特許文献１参照）。
【０００３】
この電気集塵装置によれば、電気集塵の基本原理であるコロナ放電により生成したオゾンを活性炭繊維で直ちに吸着し、有害なガス成分であるオゾンの生成量を抑制することができる。
【先行技術文献】
【特許文献】
【０００４】
【特許文献１】特開２０１０−１３１５１５号公報
【発明の概要】
【発明が解決しようとする課題】
【０００５】
このような従来の電気集塵装置においては、オゾンの発生自体を停止するものではなく、オゾンの濃度は電気集塵装置内の通風量に依存するため、何らかの原因により通風量が低下した場合は筐体内にオゾンが充満し、筐体内のオゾン濃度が上昇するという課題が残る。
【０００６】
そこで本発明は、上記従来の課題を解決するものであり、筐体内の風量が低下した場合に、筐体内のオゾン濃度の上昇を抑制する電機集塵装置を提供することを目的とする。
【課題を解決するための手段】
【０００７】
そして、この目的を達成するために、本発明に係る電気集塵装置は、筐体と、前記筐体内に設けられた帯電部および集塵部とを備え、前記筐体の吸込口から吸込まれた空気は前記筐体内を通過して前記筐体の吹出口から吹き出される電気集塵装置であって、前記筐体内の風量を検知するための検知装置を備え、前記検知装置は、回転軸と、通風抵抗部と、回転部と、センサーとからなり、前記回転軸は前記筐体内において前記集塵部よりも下流側に設けられ、前記通風抵抗部は、前記回転軸に固定され、風が無い場合は自重で下がり、風がある場合は風圧により回動し、前記回転部は、前記通風抵抗部よりも前記筐体の内壁側において、前記回転軸に固定され、前記センサーは、前記回転部と前記センサーとの距離を検知し、前記距離に応じて前記帯電部と前記集塵部の通電のオンとオフが切り替わるとしたものであり、これにより所期の目的を達成するものである。
【発明の効果】
【０００８】
本発明によれば、筐体内の風量が低下した場合に、筐体内のオゾン濃度の上昇を抑制できる。
【図面の簡単な説明】
【０００９】
【図１】本発明の実施の形態１の電気集塵装置の概略を示す平面図
【図２】本発明の実施の形態１の電気集塵装置の概略を示す正面図
【図３】検知装置の通風状態を示す斜視図
【図４】検知装置の無風状態を示す斜視図
【図５】本発明の実施の形態１の電気集塵装置の作動の流れを示すブロック図
【発明を実施するための形態】
【００１０】
本発明に係る電気集塵装置は、筐体と、前記筐体内に設けられた帯電部および集塵部とを備え、前記筐体の吸込口から吸込まれた空気は前記筐体内を通過して前記筐体の吹出口から吹き出される電気集塵装置であって、前記筐体内の風量を検知するための検知装置を備え、前記検知装置は、回転軸と、通風抵抗部と、回転部と、センサーとからなり、前記回転軸は前記筐体内において前記集塵部よりも下流側に設けられ、前記通風抵抗部は、前記回転軸に固定され、風が無い場合は自重で下がり、風がある場合は風圧により回動し、前記回転部は、前記通風抵抗部よりも前記筐体の内壁側において、前記回転軸に固定され、前記センサーは、前記回転部と前記センサーとの距離を検知し、前記距離に応じて前記帯電部と前記集塵部の通電のオンとオフが切り替わるという構成を有する。
【００１１】
これにより、前記センサーが、前記回転部との距離を検知し、前記距離に応じて前記帯電部と前記集塵部の通電を停止するので、通風が無いあるいは少ないことによる筐体内のオゾン濃度の上昇を抑制するという効果を奏する。
【００１２】
また、前記回転部に磁石を設け、前記センサーは、前記磁石による磁力を検知することにより、前記距離を検知するという構成にしてもよい。
【００１３】
これにより、前記センサーが、前記回転部との距離を検知し、前記距離に応じて前記帯電部と前記集塵部の通電を停止するので、比較的簡易な構成で、通風が無いあるいは少ないことによる筐体内のオゾン濃度の上昇を抑制するという効果を奏する。
【００１４】
また、前記回転軸は、前記筐体内高さの中点において水平に設けられ、前記磁石を２つ、前記回転軸を中心に点対称となるように前記回転部に設け、前記通風抵抗部は前記回転軸を軸として３６０度回動可能であるという構成にしてもよい。
【００１５】
これにより、電気集塵装置の天地を反転して使用しても、どちらか一方の磁石がセンサーと接近し、筐体内の通風を検知するので、電気集塵装置の天地の制限なく使用できるという効果を奏する。
【００１６】
また、前記回転部は、前記回転軸の軸方向に直交する棒状としてもよい。
【００１７】
これにより、前記センサーの検出範囲をより狭い範囲に限定できるので、通風の検知精度をさらに高めることができる。
【００１８】
また、前記センサーは、前記筐体内において通風が無い場合に、前記通風抵抗部が自重で下がった位置において、前記磁石と最接近する位置に設けた構成としてもよい。
【００１９】
これにより、通風が低下して前記通風抵抗部が自重で下がり、前記通風抵抗部の傾きがゼロ又は傾きが小さくなった場合に前記センサーが磁力を検出して前記帯電部と前記集塵部の通電をオフする。逆に、前記通風抵抗部を傾けるだけの通風が存在するときに前記センサーが磁力を検出しなくなり、前記帯電部と前記集塵部の通電をオンする。このように、前記検知装置により通風が低下したかどうかが検知しやすくなり、前記帯電部と前記集塵部の通電のオン・オフをさらに効果的に行うことができる。
【００２０】
また、前記回転軸および前記回転部は導電性材料からなり、前記回転軸および前記回転部に対して、前記帯電部あるいは前記集塵部に印加する電圧の一部を印加し、前記センサーは前記回転部から発生する電場を検知するという構成にしてもよい。
【００２１】
これにより、前記センサーが電場を検知することにより前記回転部との距離を検知することが可能なので、磁石などの部品点数を増やすことなく検知装置を構成できるという効果を奏する。
【００２２】
また、前記回転部は、前記回転軸の軸方向に直交する棒状であり、前記センサーは、前記筐体内において風が無い場合に、前記通風抵抗部が自重で下がった位置において、前記回転部と最接近する位置に設けられた構成としてもよい。
【００２３】
これにより、通風が低下して前記通風抵抗部が自重で下がり、前記通風抵抗部の傾きがゼロ又は傾きが小さくなった場合に前記センサーが電場を検出して前記帯電部と前記集塵部の通電をオフする。逆に、前記通風抵抗部を傾けるだけの通風が存在するときに前記センサーが電場を検出しなくなり、前記帯電部と前記集塵部の通電をオンする。このように、前記検知装置により通風が低下したかどうかが検知しやすくなり、前記帯電部と前記集塵部の通電のオン・オフをさらに効果的に行うことができる。
【００２４】
以下、本発明の実施の形態について図面を参照しながら説明する。
【００２５】
（実施の形態１）
図１は本発明に係る電気集塵装置の平面図である。また、図２は図１に対する正面図である。
【００２６】
図１または図２に示すように、電気集塵装置は、筐体１に帯電部２と集塵部３と吸込口２０と吹出口２１を備える。筐体１の内部に通風を与える送風機４は筐体１の例えば吹出口２１に接続される。
【００２７】
送風機４の運転により、吸込口２０から吸込まれた空気は筐体１の内部を通過して吹出口２１から吹き出される。
【００２８】
吸込口２０から吸込まれた空気に対して、帯電部２はコロナ放電を発生して塵埃に電荷を与える。集塵部３は、電荷を帯びた塵埃を吸着することで集塵を行う。
【００２９】
筐体１の内部には、筐体１の内部の通風を検知するための検知装置１０を備え、検知装置１０は、回転軸５と、通風抵抗部６と、回転部７と、センサー９とからなる。
【００３０】
回転軸５は例えば通風抵抗部６の回動の中心となる棒である。
【００３１】
通風抵抗部６は、回転軸５に固定され、風が無い場合は自重で下がり、風がある場合は風圧により回動する。
【００３２】
回転部７は、通風抵抗部６よりも筐体１の内壁側において回転軸５に固定され、通風抵抗部６が風圧により回動することで、回転部７も同時に回動する。
【００３３】
センサー９は、回転部７とセンサー９との距離を検知し、制御部２２によって距離に応じて帯電部２と集塵部３の通電のオンとオフが切り替わる。
【００３４】
このような構成によれば、筐体１内の通風が低下して通風抵抗部６が自重で下がり、通風抵抗部６の鉛直方向に対する傾きがゼロ又は小さくなった場合にセンサー９が回転部７を検出して帯電部２と集塵部３の通電をオフするため、通風の低下による筐体１内のオゾン濃度の上昇を抑制する効果がある。
【００３５】
なお、回転部７に磁石８を設け、センサー９は、磁石８による磁力を検知することにより、距離を検知する構成としてもよい。
【００３６】
また、センサー９の設置位置は、回転部７の可動域であれば任意であるが、例えば筐体１内において風が無い場合に、通風抵抗部６が自重で下がった位置において、磁石８と最接近する位置に設けることにより、通風が低下したかどうかが検知しやすくなり、帯電部と集塵部３の通電のオン・オフをさらに効果的に行うことができる。
【００３７】
また、回転部７は回転軸５の軸方向に直交する棒状としてもよい。これにより、センサー９の検出範囲をより狭い範囲に限定できる。
【００３８】
次に、図３は検知装置１０の通風状態における斜視図であり、図４は検知装置１０の無風状態における斜視図である。図３および図４においては、図１または図２と同様の構成要素については同一の符号を付し、その詳細な説明は省略する。
【００３９】
このような構成によれば、送風機４によって筐体１の内部に通風が行われた場合、通風抵抗部６が風圧を受けて回転軸５を軸に回動し、同時に回転部７が連なって回動するため、回転部７とセンサー９との距離が大きくなり、制御部２２がそれを検知して帯電部２と集塵部３の通電をオンにする。また、筐体１の内部に通風が行われていない場合、通風抵抗部６は回転軸５を軸に自重で回動して下がり、同時に回転部７が連なって回動するため、回転部７とセンサー９との距離が小さくなり、制御部２２がそれを検知して帯電部２と集塵部３の通電をオフにする。このため、筐体１の内部の通風を検知し、通風量に応じた帯電部２と集塵部３の通電のオンとオフの切り替えが可能となる。
【００４０】
図５は、筐体１内の通風が低下したかどうかによって帯電部２と集塵部３の通電のオンとオフを切り替える流れを示したブロック図である。
【００４１】
図５を用いて、本実施形態の電気集塵機の動作を説明する。
【００４２】
まず、電気集塵装置が停止し、送風機４が運転した状態であり、筐体１の内部に通風があることを確認した上で、電気集塵装置を運転する。検知装置１０によって、筐体１の内部に十分な通風があることが確認される場合は、帯電部２と集塵部３への通電をオンのまま継続する。検知装置１０によって、筐体１の内部に十分な通風がないことが確認される場合は、帯電部２と集塵部３への通電をオフする。その後、再度、筐体１の内部に通風があることを確認した上で、電気集塵装置を運転する。
【００４３】
なお、図１または図２では、送風機４は筐体１よりも下流に接続されるが、筐体１の上流、あるいは筐体１の内部に設置した構成としてもよい。
【００４４】
また、回転軸５は筐体１内において集塵部３よりも下流側に設けることが好ましい。この構成によれば、筐体１内に流入する空気中に含まれる塵埃が帯電部２および集塵部３によって吸着されることにより、比較的清浄な環境下で検知装置１０が動作できるため、検知装置１０への塵埃の堆積を抑えることができる。
【００４５】
また、回転軸５が水平である場合、通風抵抗部６の荷重に軸方向成分が発生せず、通風抵抗部６が自重でスムーズに下がることとなるため、回転軸５は水平であることが好ましい。また、回転軸５が空気の流れに直交する場合、通風抵抗部６が通風によって受ける風圧に軸方向成分が発生せず、通風抵抗部６の風圧による可動の妨げとならないため、回転軸５は空気の流れに直交することが好ましい。ここで、水平とは完全な水平だけでなく、数度傾いた略水平も含む。また、直交とは完全な直交だけでなく、数度傾いた略直交も含む。
【００４６】
また、本実施例では制御部２２を筐体１に設けたが、制御部２２は筐体１に設けなくても良い。例えば、筐体１には制御部２２を設けずに、遠隔地にある制御部２２によって、帯電部２と集塵部３の通電のオンとオフを切り替える制御もあり得る。
【００４７】
また、図３、図４に示すように、例えば回転軸５は、筐体１内高さの中点において水平に設けられ、磁石８を２つ、回転軸５を中心に点対称となるように回転部７に設け、通風抵抗部６は回転軸５を軸として３６０度回動可能とすることで、天地の制限がなく使用できる。ここで、水平とは完全な水平だけでなく、数度傾いた略水平も含む。また、直交とは完全な直交だけでなく、数度傾いた略直交も含む。
【００４８】
また、回転軸５および回転部７は金属などの導電性材料からなり、回転軸５および回転部７に対して、帯電部２あるいは集塵部３に印加する電圧の一部を印加し、センサー９は回転部７から発生する電場を検知するという構成にしてもよい。
【００４９】
これにより、センサー９が電場を検知することにより回転部７との距離を検知することが可能なので、磁石などの部品点数を増やすことなく検知装置１０を構成できる。
【００５０】
また、回転部７は、回転軸５の軸方向に直交する棒状であり、センサー９は、筐体１内において風が無い場合に、通風抵抗部６が自重で下がった位置において、回転部７と最接近する位置に設けられた構成としてもよい。
【００５１】
これにより、通風が低下して通風抵抗部６が自重で下がり、通風抵抗部６の傾きがゼロ又は傾きが小さくなった場合にセンサー９が電場を検出して帯電部２と集塵部３の通電をオフする。逆に、通風抵抗部６を傾けるだけの通風が存在するときにセンサー９が電場を検出しなくなり、帯電部２と集塵部３の通電をオンする。このように、検知装置１０により通風が低下したかどうかが検知しやすくなり、帯電部２と集塵部３の通電のオン・オフをさらに効果的に行うことができる。
【産業上の利用可能性】
【００５２】
本発明に係る電気集塵装置は、筐体内のオゾン濃度の上昇を抑制する電気集塵装置等として有用である。
【符号の説明】
【００５３】
１  筐体
２  帯電部
３  集塵部
４  送風機
５  回転軸
６  通風抵抗部
７  回転部
８  磁石
９  センサー
１０  検知装置
２０  吸込口
２１  吹出口
２２  制御部
【図１】
2017056419.tif 000003
【図２】
2017056419.tif 000004
【図３】
2017056419.tif 000005
【図４】
2017056419.tif 000006
【図５】
2017056419.tif 000007